(57)【要約】【課題】本発明は、残像を減らすことができるプラズマディスプレイ装置及びその駆動方法を提供するためのものである。【解決手段】本発明のプラズマディスプレイ装置は、プラズマディスプレイパネル、計算部、補償部、映像データ処理部、及び第１電極駆動部を含む。プラズマディスプレイパネルは、第１電極と第２電極が交差する領域に該当する放電セルを含む。計算部は、放電セルが光を放出する時間に該当する第１信号を出力する。補償部は、第１信号に該当する時間が基準時間を超える場合、放電セルに該当する階調値の変化率を表す第２信号を出力する。映像データ処理部は、第２信号によって映像信号から変化された表示映像信号を出力する。第１電極駆動部は、表示映像信号に該当するデータパルスを第１電極に供給する。【選択図】図１
2007279737.tif 000002
【特許請求の範囲】
【請求項１】
単位期間毎に同一映像信号の入力を受け付けて処理するコントローラと、
第１電極と第２電極が交差する領域に該当する放電セルを含み、
前記映像信号に該当する画像を表示するプラズマディスプレイパネルと、
前記単位期間の累積時間が基準時間より長い場合、前記放電セルの階調値の変化に該当するデータパルスを前記第１電極に供給する第１電極駆動部と、
前記単位期間毎に同一個数のサステインパルスを前記第２電極に供給する第２電極駆動部と、
を含むプラズマディスプレイ装置。
【請求項２】
前記単位期間はフレームであることを特徴とする請求項１記載のプラズマディスプレイ装置。
【請求項３】
前記単位期間はフレームであり、
各フレームに含まれた各サブフィールドに割り当てられるサステインパルスの個数は一定であることを特徴とする請求項１記載のプラズマディスプレイ装置。
【請求項４】
前記プラズマディスプレイパネルは、前記第２電極と２つの前記第１電極に該当する２つの隣接する放電セルを含み、
前記第１電極駆動部は、前記２つの放電セルの階調値の変化に該当するデータパルスを前記２つの第１電極に供給することを特徴とする請求項１記載のプラズマディスプレイ装置。
【請求項５】
前記プラズマディスプレイパネルは、
２つの前記第１電極に該当する第１放電セル及び第２放電セルを含み、
前記第１電極駆動部は、前記第１放電セルに該当する階調値の変化率と前記第２放電セルに該当する階調値の変化率が互いに異なるようにするデータパルスを前記２つの第１電極に供給することを特徴とする請求項１記載のプラズマディスプレイ装置。
【請求項６】
前記プラズマディスプレイパネルは、
３つの前記第１電極に該当し、赤色光、緑色光、及び青色光を各々放出する第１放電セル、第２放電セル、及び第３放電セルを含み、
前記第１電極駆動部は、前記第２放電セルに該当する階調値の変化率が前記第１放電セル及び前記第３放電セルに該当する階調値の変化率より大きくするデータパルスを前記３つの第１電極に供給することを特徴とする請求項１記載のプラズマディスプレイ装置。
【請求項７】
第１電極と第２電極が交差する領域に該当する放電セルを含むプラズマディスプレイパネルと、
前記放電セルが光を放出する時間に該当する第１信号を出力する計算部と、
前記第１信号に該当する前記時間が基準時間を超える場合、前記放電セルに該当する階調値の変化率を表す第２信号を出力する補償部と、
前記第２信号によって映像信号から変化された表示映像信号を出力する映像データ処理部と、
前記表示映像信号に該当するデータパルスを前記第１電極に供給する第１電極駆動部と、
を含むプラズマディスプレイ装置。
【請求項８】
前記時間に従う蛍光体の輝度減少率、及び前記輝度減少率に該当する前記階調値の変化率を保存するメモリ部を更に含む請求項７記載のプラズマディスプレイ装置。
【請求項９】
前記計算部は、フレーム毎に前記第１信号を出力することを特徴とする請求項７記載のプラズマディスプレイ装置。
【請求項１０】
前記プラズマディスプレイパネルは、前記第２電極と２つの前記第１電極に該当する２つの放電セルを含み、
前記第１電極駆動部は、前記２つの放電セルに該当する階調値を変化させるデータパルスを前記２つの第１電極に供給することを特徴とする請求項７記載のプラズマディスプレイ装置。
【請求項１１】
前記プラズマディスプレイパネルは、
２つの前記第１電極に該当する第１放電セル及び第２放電セルを含み、
前記第１電極駆動部は、前記第１放電セルに該当する階調値の変化率と前記第２放電セルに該当する階調値の変化率が互いに異なるようにするデータパルスを前記２つの第１電極に供給することを特徴とする請求項７記載のプラズマディスプレイ装置。
【請求項１２】
前記プラズマディスプレイパネルは、
３つの前記第１電極に該当し、赤色光、緑色光、及び青色光を各々放出する第１放電セル、第２放電セル、及び第３放電セルを含み、
前記第１電極駆動部は、前記第２放電セルに該当する階調値の変化率が前記第１放電セル及び前記第３放電セルに該当する階調値の変化率より大きくするデータパルスを前記３つの第１電極に供給することを特徴とする請求項７記載のプラズマディスプレイ装置。
【請求項１３】
前記計算部は、
前記放電セルにより放出された光を感知する感知部から光放出信号の入力を受け付けて前記第１信号を出力することを特徴とする請求項７記載のプラズマディスプレイ装置。
【請求項１４】
第１電極と第２電極が交差する領域に該当する放電セルを含むプラズマディスプレイ装置の駆動方法であって、
前記放電セルが光を放出する時間に該当する第１信号を出力するステップと、
前記第１信号に該当する前記時間が基準時間を超える場合、前記放電セルに該当する映像信号の階調値の変化率を表す第２信号を出力するステップと、
前記第２信号によって前記映像信号から変化された表示映像信号を出力するステップと、
前記表示映像信号によってデータパルスを前記第１電極に供給するステップと、
を含むプラズマディスプレイ装置の駆動方法。
【請求項１５】
前記第１信号はフレーム毎に出力されることを特徴とする請求項１４記載のプラズマディスプレイ装置の駆動方法。
【請求項１６】
前記プラズマディスプレイ装置は、前記第２電極と２つの前記第１電極に該当する２つの放電セルを含み、
前記２つの第１電極には、前記２つの放電セルに該当する階調値を変化させるデータパルスが供給されることを特徴とする請求項１４記載のプラズマディスプレイ装置の駆動方法。
【請求項１７】
前記プラズマディスプレイ装置は、
２つの前記第１電極に該当する第１放電セル及び第２放電セルを含み、
前記２つの第１電極には、前記第１放電セルに該当する階調値の変化率と前記第２放電セルに該当する階調値の変化率が互いに異なるようにするデータパルスが供給されることを特徴とする請求項１４記載のプラズマディスプレイ装置の駆動方法。
【請求項１８】
前記プラズマディスプレイ装置は、
３つの前記第１電極に該当し、赤色光、緑色光、及び青色光を各々放出する第１放電セル、第２放電セル、及び第３放電セルを含み、
前記３つの第１電極には、前記第２放電セルに該当する階調値の変化率が前記第１放電セル及び前記第３放電セルに該当する階調値の変化率より大きくするデータパルスが供給されることを特徴とする請求項１４記載のプラズマディスプレイ装置の駆動方法。
【請求項１９】
前記放電セルが光を放出する時間において、前記放電セルから放出された光が感知される際、出力された光放出信号の入力が受け付けられて計算されることを特徴とする請求項１４記載のプラズマディスプレイ装置の駆動方法。
【発明の詳細な説明】
【技術分野】
【０００１】
本発明は、プラズマディスプレイ装置及びプラズマディスプレイ装置の駆動方法に関するものである。
【背景技術】
【０００２】
プラズマディスプレイ装置は、プラズマディスプレイパネルと駆動部を含む。プラズマディスプレイパネルは、隔壁により区画された放電セルを含む。駆動部がプラズマディスプレイパネルの電極に駆動信号を供給すれば、駆動信号によって放電が放電セルで発生し、放電が放電セルの内部の蛍光体を励起させ、蛍光体は光を放出する。
【０００３】
プラズマディスプレイ装置は、サブフィールドの組み合せにより階調を表現する。すなわち、プラズマディスプレイ装置は、各サブフィールドの間から光を外部に放出し、サブフィールド各々から外部に放出した光量の和により階調が表現される。
【０００４】
各サブフィールドは、リセット期間、アドレス期間及びサステイン期間を含む。リセット期間の間、プラズマディスプレイパネルの全体放電セルの壁電荷が均一に形成される。アドレス期間の間、光を放出する放電セルが選択される。サステイン期間の間、選択された放電セルから光が放出される。
【０００５】
プラズマディスプレイ装置は、同一映像を連続してディスプレイした場合、残像が発生する問題点がある。特に、プラズマディスプレイ装置が文字やロゴを長時間ディスプレイする場合が多くなるので、残像は全体画質に悪影響を及ぼす。
【発明の開示】
【発明が解決しようとする課題】
【０００６】
本発明は、残像を減らすことができるプラズマディスプレイ装置及びその駆動方法を提供することをその目的とする。
【課題を解決するための手段】
【０００７】
本発明のプラズマディスプレイ装置は、単位期間毎に同一映像信号の入力を受け付けて処理するコントローラと、第１電極と第２電極が交差する領域に該当する放電セルを含み、前記映像信号に該当する画像を表示するプラズマディスプレイパネルと、前記単位期間の累積時間が基準時間より長い場合、前記放電セルの階調値の変化に該当するデータパルスを前記第１電極に供給する第１電極駆動部と、前記単位期間毎に同一個数のサステインパルスを前記第２電極に供給する第２電極駆動部と、を含む。
【０００８】
前記単位期間はフレームであることが好ましい。
【０００９】
前記単位期間はフレームであり、各フレームに含まれた各サブフィールドに割り当てられるサステインパルスの個数は一定であることが好ましい。
【００１０】
前記プラズマディスプレイパネルは、前記第２電極と２つの前記第１電極に該当する２つの隣接する放電セルを含み、前記第１電極駆動部は、前記２つの放電セルの階調値の変化に該当するデータパルスを前記２つの第１電極に供給することが好ましい。
【００１１】
前記プラズマディスプレイパネルは、２つの前記第１電極に該当する第１放電セル及び第２放電セルを含み、前記第１電極駆動部は、前記第１放電セルに該当する階調値の変化率と前記第２放電セルに該当する階調値の変化率が互いに異なるようにするデータパルスを前記２つの第１電極に供給することが好ましい。
【００１２】
前記プラズマディスプレイパネルは、３つの前記第１電極に該当し、赤色光、緑色光、及び青色光を各々放出する第１放電セル、第２放電セル、及び第３放電セルを含み、前記第１電極駆動部は、前記第２放電セルに該当する階調値の変化率が前記第１放電セル及び前記第３放電セルに該当する階調値の変化率より大きくするデータパルスを前記３つの第１電極に供給することが好ましい。
【００１３】
本発明のプラズマディスプレイ装置は、第１電極と第２電極が交差する領域に該当する放電セルを含むプラズマディスプレイパネルと、前記放電セルが光を放出する時間に該当する第１信号を出力する計算部と、前記第１信号に該当する前記時間が基準時間を超える場合、前記放電セルに該当する階調値の変化率を表す第２信号を出力する補償部と、前記第２信号によって映像信号から変化された表示映像信号を出力する映像データ処理部と、前記表示映像信号に該当するデータパルスを前記第１電極に供給する第１電極駆動部と、を含む。
【００１４】
前記時間に従う蛍光体の輝度減少率、及び前記輝度減少率に該当する前記階調値の変化率を保存するメモリ部を更に含むことが好ましい。
【００１５】
前記計算部は、フレーム毎に前記第１信号を出力することが好ましい。
【００１６】
前記プラズマディスプレイパネルは、前記第２電極と２つの前記第１電極に該当する２つの放電セルを含み、前記第１電極駆動部は、前記２つの放電セルに該当する階調値を変化させるデータパルスを前記２つの第１電極に供給することが好ましい。
【００１７】
前記プラズマディスプレイパネルは、２つの前記第１電極に該当する第１放電セル及び第２放電セルを含み、前記第１電極駆動部は、前記第１放電セルに該当する階調値の変化率と前記第２放電セルに該当する階調値の変化率が互いに異なるようにするデータパルスを前記２つの第１電極に供給することが好ましい。
【００１８】
前記プラズマディスプレイパネルは、３つの前記第１電極に該当し、赤色光、緑色光、及び青色光を各々放出する第１放電セル、第２放電セル、及び第３放電セルを含み、前記第１電極駆動部は、前記第２放電セルに該当する階調値の変化率が前記第１放電セル及び前記第３放電セルに該当する階調値の変化率より大きくするデータパルスを前記３つの第１電極に供給することが好ましい。
【００１９】
前記計算部は、前記放電セルにより放出された光を感知する感知部から光放出信号の入力を受け付けて前記第１信号を出力することが好ましい。
【００２０】
本発明のプラズマディスプレイ装置の駆動方法は、第１電極と第２電極が交差する領域に該当する放電セルを含むプラズマディスプレイ装置の駆動方法であって、前記放電セルが光を放出する時間に該当する第１信号を出力するステップと、前記第１信号に該当する前記時間が基準時間を超える場合、前記放電セルに該当する映像信号の階調値の変化率を表す第２信号を出力するステップと、前記第２信号によって前記映像信号から変化された表示映像信号を出力するステップと、前記表示映像信号によってデータパルスを前記第１電極に供給するステップと、を含む。
【００２１】
前記第１信号はフレーム毎に出力されることが好ましい。
【００２２】
前記プラズマディスプレイ装置は、前記第２電極と２つの前記第１電極に該当する２つの放電セルを含み、前記２つの第１電極には、前記２つの放電セルに該当する階調値を変化させるデータパルスが供給されることが好ましい。
【００２３】
前記プラズマディスプレイ装置は、２つの前記第１電極に該当する第１放電セル及び第２放電セルを含み、前記２つの第１電極には、前記第１放電セルに該当する階調値の変化率と前記第２放電セルに該当する階調値の変化率が互いに異なるようにするデータパルスが供給されることが好ましい。
【００２４】
前記プラズマディスプレイ装置は、３つの前記第１電極に該当し、赤色光、緑色光、及び青色光を各々放出する第１放電セル、第２放電セル、及び第３放電セルを含み、前記３つの第１電極には、前記第２放電セルに該当する階調値の変化率が前記第１放電セル及び前記第３放電セルに該当する階調値の変化率より大きくするデータパルスが供給されることが好ましい。
【００２５】
前記放電セルが光を放出する時間において、前記放電セルから放出された光が感知される際、出力された光放出信号の入力が受け付けられて計算されることが好ましい。
【発明の効果】
【００２６】
本発明のプラズマディスプレイ装置及びその駆動方法は、残像を減らすことができ、画質を改善することができる。
【発明を実施するための最良の形態】
【００２７】
以下、本発明に係る具体的な実施形態を図面を参照しつつ説明する。
【００２８】
図１は、本発明の実施形態に係るプラズマディスプレイ装置を示す図である。図１に示すように、本発明の実施形態に係るプラズマディスプレイ装置は、プラズマディスプレイパネル１１０、計算部１２０、補償部１３０、映像データ処理部１４０、第１電極駆動部１５０、第２電極駆動部１６０、第３電極駆動部１７０、及びタイミング制御部１８０を含む。
【００２９】
プラズマディスプレイパネル１１０は、第１電極（Ｘ１乃至Ｘｍ）と第２電極（Ｙ１乃至Ｙｎ）が交差する領域に該当する放電セルを含む。第３電極（Ｚ１乃至Ｚｎ）は第２電極（Ｙ１乃至Ｙｎ）と並んで位置する。各放電セルは隔壁により区画され、隔壁の内部には蛍光体が位置する。
【００３０】
計算部１２０は、放電セルが光を放出する時間に該当する第１信号を出力する。
【００３１】
補償部１３０は、第１信号に該当する光の放出時間が基準時間を超える場合、放電セルに該当する階調値の変化率を表す第２信号を出力する。
【００３２】
映像データ処理部１４０は、第２信号によって映像信号から変化された表示映像信号を出力する。映像データ処理部１４０は、映像信号に対する逆ガンマ補正プロセス、ハーフトーニングプロセス、サブフィールドマッピングプロセス及びデータ整列プロセスを遂行する。これによって、各サブフィールドで各放電セルの光放出の可否が定義される。計算部１２０は、表示映像信号の入力を受け付けて、放電セルの各々が光を放出する時間を計算する。すなわち、映像データ処理部１４０が出力する表示映像信号は、計算部１２０の第１信号に該当する。 
【００３３】
一方、第１電極駆動部１５０は、表示映像信号に該当するデータパルスを第１電極（Ｘ１乃至Ｘｍ）に供給する。
【００３４】
第２電極駆動部１６０は、プラズマディスプレイパネル１１０の第２電極（Ｙ１乃至Ｙｎ）にデータパルスに同期するスキャンパルスを供給する。
【００３５】
第２電極駆動部１６０と第３電極駆動部１７０は、データパルスとスキャンパルスにより選択された放電セルから光が放出されるようにするサステインパルスを第２電極（Ｙ１乃至Ｙｎ）及び第３電極（Ｚ１乃至Ｚｎ）に交互に供給する。
【００３６】
タイミング制御部１８０は、水平同期信号（Ｈ）、垂直同期信号（Ｖ）、クロック信号（ＣＬＫ）の入力を受け付けて、計算部１２０、補償部１３０、映像データ処理部１４０、第１電極駆動部１５０、第２電極駆動部１６０及び第３電極駆動部１７０の動作を制御するためのタイミング信号を出力する。
【００３７】
図２（ａ）乃至図２（ｃ）は、階調値の変化を説明するための図である。図２（ａ）乃至図２（ｃ）に示すように、本発明の実施形態に係るプラズマディスプレイ装置のパネルは、第１電極（Ｘ１、Ｘ２、Ｘ３）と第２電極（Ｙ）が交差する領域に該当する放電セル（ｃｅｌｌ１、ｃｅｌｌ２、ｃｅｌｌ３）を含む。１つのピクセルを構成する３つの放電セル（ｃｅｌｌ１、ｃｅｌｌ２、ｃｅｌｌ３）の内部には各々赤色蛍光体、緑色蛍光体、及び青色蛍光体が位置する。これによって、３つの放電セル（ｃｅｌｌ１、ｃｅｌｌ２、ｃｅｌｌ３）は、各々赤色光、緑色光及び青色光を放出する。
【００３８】
図２（ａ）において、第１放電セル（ｃｅｌｌ１）、第２放電セル（ｃｅｌｌ２）及び第３放電セル（ｃｅｌｌ３）の映像信号は、各々階調値（ＧＬ）が５０、６０及び１００に該当する。第１放電セル（ｃｅｌｌ１）及び第２放電セル（ｃｅｌｌ２）が光を放出する時間（Ｔ１、Ｔ２）は基準時間（Ｔｒｅｆ）より大きくて、第３放電セル（ｃｅｌｌ３）が光を放出する時間（Ｔ３）は基準時間（Ｔｒｅｆ）より小さい。これによって、第１放電セル（ｃｅｌｌ１）の赤色蛍光体及び第２放電セル（ｃｅｌｌ２）の緑色蛍光体が劣化することにより、第１放電セル（ｃｅｌｌ１）及び第２放電セル（ｃｅｌｌ２）が放出する光量が減る。第１放電セル（ｃｅｌｌ１）と第２放電セル（ｃｅｌｌ２）の光量が減れば、ピクセルから放出される光の色温度または色座標が不適切な値をとるので画質が悪化する。
【００３９】
図２（ｂ）は、補償部１３０から出力された第２信号によって第１放電セル（ｃｅｌｌ１）及び第２放電セル（ｃｅｌｌ２）の階調値（ＧＬ）が増加したことを示す図である。階調値の増加は階調値の変化率（１．０２、１．１）によって決定される。すなわち、第１放電セル（ｃｅｌｌ１）及び第２放電セル（ｃｅｌｌ２）が放出する光量が蛍光体の劣化により減少するので、階調値の増加により光量が補償される。これによって、光の色温度または色座標が維持される。階調値（５１、６６）は表示映像信号に該当する。第２放電セル（ｃｅｌｌ２）の階調値の変化率が第１放電セル（ｃｅｌｌ１）の階調値の変化率より大きいことは、図３に示すように、緑色蛍光体の輝度減少率が赤色蛍光体や青色蛍光体の輝度減少率より大きいためである。したがって、第２放電セル（ｃｅｌｌ２）の階調値の変化率が第１放電セル（ｃｅｌｌ１）及び第３放電セル（ｃｅｌｌ３）の階調値の変化率より大きい。
【００４０】
図２（ｃ）は、補償部１３０から出力された第２信号によって第３放電セル（ｃｅｌｌ３）の階調値（ＧＬ）が減少したことを示す図である。階調値の減少また階調値の変化率（０．９８）により決定される。すなわち、第１放電セル（ｃｅｌｌ１）及び第２放電セル（ｃｅｌｌ２）が放出する光量が蛍光体の劣化により減少するので、第３放電セル（ｃｅｌｌ３）の階調値の減少によりピクセルから放出される光の色温度または色座標が維持される。減少した階調値（９８）は表示映像信号に該当する。
【００４１】
図４は、プラズマディスプレイ装置の階調表現法を説明するための図である。図４に示すように、１つのフレームは複数個のサブフィールド（ＳＦ１乃至ＳＦ８）を含む。各サブフィールドは、リセット期間、アドレス期間及びサステイン期間を含む。サブフィールドのサステイン期間は、サブフィールドの階調加重値に比例する。放電セルに該当する１つの階調値はサブフィールド全体の内、少なくとも１つにマッピングされ、マッピングされたサブフィールドにおいて、放電セルが光を放出することにより階調が表現される。
【００４２】
例えば、複数個のサブフィールド（ＳＦ１乃至ＳＦ８）の階調加重値が各々２０、２１、２２、２３、２４、２５、２６、及び２７であれば、図２（ａ）の第１放電セル（ｃｅｌｌ１）の階調値５０（＝２１+２４+２５）は、ＳＦ２、ＳＦ５及びＳＦ６にマッピングされる。図２（ａ）の第２放電セル（ｃｅｌｌ２）の階調値６０（＝２２+２３+２４+２５）は、ＳＦ３、ＳＦ４、ＳＦ５、及びＳＦ６にマッピングされる。また、図２（ａ）の第３放電セル（ｃｅｌｌ３）の階調値１００（＝２２+２５+２６）は、ＳＦ３、ＳＦ６及びＳＦ７にマッピングされる。
【００４３】
図２（ｂ）の第１放電セル（ｃｅｌｌ１）の階調値５１（＝２０+２１+２４+２５）は、ＳＦ１、ＳＦ２、ＳＦ５及びＳＦ６にマッピングされる。図２（ｂ）の第２放電セル（ｃｅｌｌ２）の階調値６６（＝２１+２６）は、ＳＦ２及びＳＦ７にマッピングされる。また、図２（ｂ）の第３放電セル（ｃｅｌｌ３）の階調値１００（＝２２+２５+２６）は、ＳＦ３、ＳＦ６及びＳＦ７にマッピングされる。
【００４４】
図２（ｃ）の第１放電セル（ｃｅｌｌ１）の階調値５０（＝２１+２４+２５）は、ＳＦ２、ＳＦ５及びＳＦ６にマッピングされる。また、図２（ｃ）の第２放電セル（ｃｅｌｌ２）の階調値６０（＝２２+２３+２４+２５）はＳＦ３、ＳＦ４、ＳＦ５、及びＳＦ６にマッピングされる。また、図２（ｃ）の第３放電セル（ｃｅｌｌ３）の階調値９８（＝２１+２５+２６）はＳＦ２、ＳＦ６及びＳＦ７にマッピングされる。
【００４５】
すなわち、第１電極駆動部１５０は、第１放電セル（ｃｅｌｌ１）に該当する第１電極Ｘ１にハイレバルのデータパルスをＳＦ２、ＳＦ５及びＳＦ６のアドレス期間に供給する。第１放電セル（ｃｅｌｌ１）が光を放出する時間が基準時間を超えれば、第１電極駆動部１５０は第１放電セル（ｃｅｌｌ１）に該当する第１電極（Ｘ１）にハイレバルのデータパルスをＳＦ１、ＳＦ２、ＳＦ５及びＳＦ６のアドレス期間に供給する。階調値の変化によってサブフィールドのマッピングが変わるので、第１電極駆動部１５０は、サブフィールドマッピングの変化によってデータパルスを供給する。
【００４６】
次に、図面を参照しつつ本発明の実施形態に係るプラズマディスプレイ装置の動作を詳細に説明する。
【００４７】
計算部１２０は、映像データ処理部１４０から表示映像信号の入力を受け付けて、プラズマディスプレイパネル１１０の放電セルが光を放出する時間に該当する第１信号を出力する。例えば、計算部１２０は放電セルが光を放出する単位期間の和に該当する第１信号を出力する。計算部１２０はフレーム毎に第１信号を出力する。すなわち、映像データ処理部１４０は、フレーム毎に映像信号の入力を受け付けるので、計算部１２０はフレーム毎に第１信号を出力する。これによって、計算部１２０の計算負荷が減少する。
【００４８】
メモリ部１９０は第１信号の入力を受け付けて、第１信号の情報を保存する。メモリ部１９０は図３に示された各蛍光体が光を放出する時間と蛍光体の輝度変化率に対する関係及び輝度変化率と階調値の変化率の関係をルックアップテーブルに予め保存する。
【００４９】
第１信号に該当する光の放出時間が基準時間を超える場合、補償部１３０は光の放出時間に係る階調値の変化率をメモリ部１９０から受け付けて、放電セルに該当する階調値の変化率を表す第２信号を出力する。すなわち、補償部１３０は輝度の変化を補償するための第２信号を出力する。
【００５０】
映像データ処理部１４０は、第２信号によって映像信号から変化された表示映像信号を出力する。例えば、図２（ｂ）の説明で前述したように、映像データ処理部１４０は第１放電セル（ｃｅｌｌ１）に該当する映像信号の階調値（５０）と第２信号に該当する階調値の変化率（１．０２）によって階調値（５１）を計算し、階調値（５１）に対するサブフィールドマッピングプロセスを遂行する。映像データ処理部１４０は、サブフィールドマッピングプロセス以後、データ整列プロセスを通じて表示映像信号を生成する。
【００５１】
フレームメモリ２００は、表示映像信号を一時的に保存し、タイミング制御部１８０から出力されたタイミング制御信号によって表示映像信号を第１電極駆動部１５０に出力する。
【００５２】
第１電極駆動部１５０は、放電セルの階調値の変化に該当するデータパルスを第１電極（Ｘ１乃至Ｘｍ）に供給する。すなわち、第１電極駆動部１５０は表示映像信号に該当するデータパルスを第１電極（Ｘ１乃至Ｘｍ）に供給する。
【００５３】
プラズマディスプレイパネル１１０は、第２電極と２つの第１電極に該当する２つの放電セルを含み、第１電極駆動部１５０は、２つの放電セルに該当する階調値を変化させるデータパルスを２つの第１電極に供給してもよい。例えば、図２（ａ）及び図２（ｂ）に示すように、第１電極駆動部１５０は第１放電セル（ｃｅｌｌ１）と第２放電セル（ｃｅｌｌ２）に該当する映像信号の階調値（５０、６０）から変換された表示映像信号の階調値（５１、６６）に該当するデータパルスを２つの第１電極（Ｘ１とＸ２）に供給する。これによって、１つの第２電極（Ｙ）に位置した２つの放電セルに該当する階調値が変化する。
【００５４】
プラズマディスプレイパネル１００は、２つの第１電極に該当する第１放電セル及び第２放電セルを含み、第１電極駆動部１５０は、第１放電セルに該当する階調値の変化率と第２放電セルに該当する階調値の変化率が互いに異なるようにするデータパルスを２つの第１電極に供給してもよい。例えば、図２（ａ）及び図２（ｂ）に示すように、第１放電セル（ｃｅｌｌ１）と第２放電セル（ｃｅｌｌ２）に該当する映像信号から表示映像信号が生成される際、第１放電セル（ｃｅｌｌ１）の階調値の変化率（１．０２）は第２放電セル（ｃｅｌｌ２）の階調値の変化率（１．１）と異なる。これによって、第１電極駆動部１５０は、階調値（５１、６６）に該当するデータパルスを第１放電セル（ｃｅｌｌ１）と第２放電セル（ｃｅｌｌ２）に該当する２つの第１電極（Ｘ１とＸ２）に供給する。放電セルの階調値に該当する階調値の変化率が違えば、蛍光体の特性に従う色座標または色温度を維持することができる。
【００５５】
プラズマディスプレイパネル１００は、３つの第１電極に該当し、赤色光、緑色光及び青色光を各々放出する第１放電セル、第２放電セル及び第３放電セルを含み、第１電極駆動部１５０は、第２放電セルに該当する階調値の変化率が第１放電セル及び第３放電セルに該当する階調値の変化率より大きくするデータパルスを３つの第１電極に供給してもよい。例えば、図２（ｂ）に示すように、放電セル（ｃｅｌｌ１、ｃｅｌｌ２、ｃｅｌｌ３）に該当する映像信号から表示映像信号が生成される際、第２放電セル（ｃｅｌｌ２）の階調値の変化率（１．１）は放電セル（ｃｅｌｌ１、ｃｅｌｌ３）の階調値の変化率（１．０２、１）より大きい。これによって、第１電極駆動部１５０は、表示映像信号の階調値（５１、６６、及び１００）に該当するデータパルスを３つの第１電極（Ｘ１、Ｘ２、Ｘ３）に供給する。
【００５６】
計算部１２０は、放電セルにより放出された光を感知する感知部２１０から光放出信号の入力を受け付けて、第１信号を出力する。すなわち、感知部２１０は、放電セルが放出する光を感知するので、計算部１２０は感知部２１０が出力する光放出信号によって放電セルが光を放出する時間を計算するができる。計算部１２０が感知部２１０から出力された光放出信号を通じて時間を計算すれば、放電セルが光を放出する時間を正確に計算できる。
【００５７】
図５は、本発明の実施形態に係るプラズマディスプレイ装置の動作の一例を説明する。
【００５８】
プラズマディスプレイパネル１１０は、第１電極と第２電極が交差する領域に該当する放電セルを含み、映像信号に該当する画像を表示する。
【００５９】
コントローラＣＯＮは、単位期間毎に同一映像信号の入力を受け付けて処理する。例えば、コントローラＣＯＮは、フレーム毎に同一映像信号の入力を受け付けて処理する。コントローラＣＯＮは、図１の計算部１２０、補償部１３０、映像データ処理部１４０、及びタイミング制御部１８０を含む。
【００６０】
第１電極駆動部１５０は、単位期間の累積時間が基準時間より大きい場合、放電セルの階調値の変化に該当するデータパルスを第１電極（Ｘ１乃至Ｘｍ）に供給する。例えば、基準時間は１０フレームであり、同一映像信号に該当する画像がプラズマディスプレイパネルに表示される時間が１０フレームより小さければ、第１電極駆動部１５０は映像信号に該当するデータパルスを第１電極（Ｘ１乃至Ｘｍ）に供給する。同一映像信号に該当する画像が表示される時間が１０フレームより大きければ、第１電極駆動部１５０はコントローラＣＯＮから放電セルの階調値が変化された表示映像信号の入力を受け付けて、表示映像信号に該当するデータパルスを第１電極（Ｘ１乃至Ｘｍ）に供給する。
【００６１】
第２電極駆動部１６０は、フレームのような単位期間毎に同一個数のサステインパルスを第２電極に供給する。特に、第２電極駆動部１６０は各フレームに含まれた各サブフィールドにおいて、同一個数のサステインパルスを第２電極に供給する。例えば、ｎ番目のフレームに割り当てられたサステインパルスの個数が５００個であれば、ｎ＋１番目のフレームに割り当てられたサステインパルスの個数も５００個である。また、ｎ番目のフレームのｍ番目のサブフィールドに割り当てられたサステインパルスの個数が５０個であれば、ｎ＋１番目のフレームのｍ番目のサブフィールドに割り当てられたサステインパルスの個数が５０個である。
【００６２】
コントローラＣＯＮが連続して同一映像信号を処理し、第２電極駆動部１６０がフレーム毎に同一個数のサステインパルスを第２電極に供給する際、第１電極駆動部１５０は色温度または色座標の維持のために階調値の変化に該当するデータパルスを供給する。
【００６３】
図２（ａ）乃至図２（ｃ）を通じて前述したように、第１電極駆動部１５０は２つの放電セルの階調値の変化に該当するデータパルスを２つの第１電極に供給してもよい。また、第１電極駆動部１５０は、第１放電セルに該当する階調値の変化率と第２放電セルに該当する階調値の変化率が互いに異なるようにするデータパルスを２つの第１電極に供給してもよい。さらに、第１電極駆動部１５０は、第２放電セルに該当する階調値の変化率が第１放電セル及び第３放電セルに該当する階調値の変化率より大きくするデータパルスを３つの第１電極に供給してもよい。
【００６４】
図５のプラズマディスプレイ装置または前述した感知部２１０の光放出信号によって、階調値の変化を決定することができる。感知部２１０に対する説明は前述したので省略する。
【図面の簡単な説明】
【００６５】
【図１】本発明の実施形態に係るプラズマディスプレイ装置を示す図である。
【図２】階調値の変化を説明するための図である。
【図３】蛍光体による輝度減少率を示す図である。
【図４】プラズマディスプレイ装置の階調表現法を説明するための図である。
【図５】本発明の実施形態に係るプラズマディスプレイ装置の動作の一例を説明するための図である。
【符号の説明】
【００６６】
１１０    プラズマディスプレイパネル
１２０    計算部
１３０    補償部
１４０    映像データ処理部
１５０    第１電極駆動部
１６０    第２電極駆動部
１７０    第３電極駆動部
１８０    タイミング制御部
【図１】
2007279737.tif 000003
【図２】
2007279737.tif 000004
【図３】
2007279737.tif 000005
【図４】
2007279737.tif 000006
【図５】
2007279737.tif 000007